(57)【要約】【課題】空調機の運転状態を計測する各センサに、新たなセンサ種別が追加されたり、空調機の性能等によりセンサ種別は同一であるが計測データの挙動が変更されたりするような場合に、容易に対応することができる空調機の運転状態監視システムを得る。【解決手段】空調機１の各所用箇所に取り付けられた各センサ２ａ〜２ｅからの計測データを処理し、通信手段を介して送信するセンサユニットと、このセンサユニット４から送信された各センサ２ａ〜２ｅからの計測データを、あらかじめ収納された書き換え可能なセンサ種別毎の計測データの挙動パターンと比較することにより、各センサ２ａ〜２ｅのセンサ種別を判別し、収集した各センサの計測データと判別したセンサ種別から空調機１の運転状態を監視する中央監視装置６とを備える。【選択図】図１
2006275475.tif 000002
【特許請求の範囲】
【請求項１】
空調機の各所用箇所に取り付けられた各センサからの計測データを処理し、通信手段を介して送信するセンサユニットと、
このセンサユニットから送信された前記各センサからの計測データを、あらかじめ収納された書き換え可能なセンサ種別毎の計測データの挙動パターンと比較することにより、前記各センサのセンサ種別を判別し、前記収集した前記各センサの計測データと判別した前記センサ種別から前記空調機の運転状態を監視する中央監視装置と、
を備えたことを特徴とする空調機の運転状態監視システム。
【請求項２】
空調機の各所用箇所に取り付けられた各センサからの計測データを処理するセンサ入力処理手段及び処理した計測データを送信する通信手段を有するセンサユニットと、
このセンサユニットから前記各センサの計測データを収集するための通信手段、収集した前記各センサの計測データを収納する計測データ収納手段、センサ種別毎の計測データの挙動パターンを収納するセンサ挙動パターン収納手段、収納した前記センサ種別毎の計測データの挙動パターンを外部から書き換えるセンサ挙動パターン書換手段、収集した前記各センサの計測データと収納した前記センサ種別毎の計測データの挙動パターンを比較することにより、前記各センサのセンサ種別を判別するセンサ種別判定手段及び収集した前記各センサの計測データと判別したセンサ種別から前記空調機の運転状態を監視する運転状態監視手段を有する中央監視装置と、
を備えたことを特徴とする空調機の運転状態監視システム。
【請求項３】
前記中央監視装置を離れた場所から監視するセンタ監視装置を備え、
前記センタ監視装置からの通信により、前記センサ種別毎の計測データの挙動パターンを書き換え可能としたことを特徴とする請求項１または２記載の空調機の運転状態監視システム。
【発明の詳細な説明】
【技術分野】
【０００１】
この発明は、空調機の各所要箇所に取り付けられた各センサにより、空調機の各所要箇所の状態を計測し、この計測データから空調機の運転状態を監視する空調機の運転状態監視システムに関するものである。
【背景技術】
【０００２】
従来の空調機の運転状態監視システムは、空調機の各所要箇所に取り付けられた各センサと、各センサからの計測データを処理するとともに、センサ種別を判別する１台もしくは複数台のセンサユニットと、センサユニットで処理した計測データを判別したセンサ種別とともに収集し、空調機の運転状態を監視する中央監視装置で構成されている（例えば、特許文献１参照）。
【０００３】
【特許文献１】特開平５−３４０５９５号公報（段落００１６〜００２５、図１）
【発明の開示】
【発明が解決しようとする課題】
【０００４】
従来の空調機の運転状態監視システムは、センサユニットにおいて入力された各センサの計測データから自動的に、あるいは種別設定用のスイッチ入力によりセンサ種別を判断するため、新たなセンサ種別が追加されたり、空調機の性能等によりセンサ種別は同一であるが計測データの挙動が変更されたりするような場合に、センサ種別を判別するためのセンサユニットのプログラムを変更する必要があるが、センサユニットは１システムあたり複数台存在する場合が多く、プログラム変更のために多大な時間と労力が必要となるという問題点があった。
【０００５】
この発明は、上記のような課題を解決するためになされたもので、新たなセンサ種別が追加されたり、空調機の性能等によりセンサ種別は同一であるが計測データの挙動が変更されたりするような場合においても、容易に対応することができる空調機の運転状態監視システムを得ることを目的とする。
【課題を解決するための手段】
【０００６】
この発明に係る空調機の運転状態監視システムは、空調機の各所用箇所に取り付けられた各センサからの計測データを処理し、通信手段を介して送信するセンサユニットと、このセンサユニットから送信された前記各センサからの計測データを、あらかじめ収納された書き換え可能なセンサ種別毎の計測データの挙動パターンと比較することにより、前記各センサのセンサ種別を判別し、前記収集した前記各センサの計測データと判別した前記センサ種別から前記空調機の運転状態を監視する中央監視装置と、を備えたものである。
【発明の効果】
【０００７】
この発明は、空調機の各所用箇所に取り付けられた各センサからの計測データを処理し、通信手段を介して送信するセンサユニットと、このセンサユニットから送信された前記各センサからの計測データを、あらかじめ収納された書き換え可能なセンサ種別毎の計測データの挙動パターンと比較することにより、前記各センサのセンサ種別を判別し、前記収集した前記各センサの計測データと判別した前記センサ種別から前記空調機の運転状態を監視する中央監視装置と、を備えたので、１システムあたり複数台のセンサユニットが存在するシステム構成でも、新たなセンサ種別が追加されたり、空調機の性能等によりセンサ種別は同一であるが計測データの挙動が変更されたりするような場合においても、容易に対応することができる。
【発明を実施するための最良の形態】
【０００８】
実施の形態１．
図１はこの発明の実施の形態１を示す空調機の運転状態監視システムのシステム構成図、図２は空調機の運転状態監視システムのセンサユニットの内部構成を示すブロック図、図３は空調機の運転状態監視システムの中央監視装置の内部構成を示すブロック図である。
【０００９】
図１において、空調機の運転状態監視システムは、空調機１の各所要箇所に取り付けられ、種々の計測を行う各センサ２ａ〜２ｅと、各センサ２ａ〜２ｅとセンサ入力線３ａ〜３ｅで接続され、各センサ２ａ〜２ｅから収集した計測データを処理して送信するセンサユニット４と、センサユニット４に通信線５で接続され、この通信線を介して収集した計測データを、あらかじめ収納されたセンサ種別毎の計測データの挙動パターンと比較することにより、各センサ２ａ〜２ｅのセンサ種別を判別し、収集した各センサ２ａ〜２ｅの計測データと判別したセンサ種別から空調機１の運転状態を監視する中央監視装置とから構成されており、中央監視装置には、センサ種別毎の計測データの挙動パターンを外部から書き換えるセンサ挙動パターン書換手段が設けられている。
【００１０】
図２において、センサユニット４は、各センサ２ａ〜２ｅから入力される計測データを処理するセンサ入力処理手段であるセンサ入力処理部４１と、センサ入力処理部４１で処理された各センサの計測データを収集するために中央監視装置６との通信処理をする通信手段である送受信処理部４２とで構成される。
【００１１】
図３において、中央監視装置６は、各センサ２ａ〜２ｅの計測データを収集するためにセンサユニット４との通信処理をする通信手段である送受信処理部６１と、収集した各センサの計測データを収納する計測データ収納手段である計測データ収納部６２と、センサ種別毎の計測データの挙動パターンを収納するセンサ挙動パターン収納手段であるセンサ挙動パターン収納部６３と、収納されているセンサ種別毎の計測データの挙動パターンを外部から書換可能とするセンサ挙動パターン書換手段であるセンサ挙動パターン書換部６４と、センサユニット４から収集し収納した各センサの計測データの挙動とセンサ挙動パターン収納部６３に収納されたセンサ種別毎の計測データの挙動パターンから各センサのセンサ種別を判別するセンサ種別判定手段であるセンサ種別判別部６５と、収集した各センサの計測データと判別したセンサ種別から空調機の運転状態を監視する運転状態監視手段である運転状態監視部６６とで構成される。
【００１２】
次に、この発明の実施の形態１を示す空調機の運転状態監視システムの動作について説明する。
センサユニット４は、各センサ２ａ〜２ｅから計測データをセンサ入力処理部４１で取り込み、その各センサの計測データは送受信処理部４２を介して中央監視装置６に通報される。中央監視装置６との各センサの計測データの通信方法は、中央監視装置６からのモニタに対してセンサユニット４がセンサ入力処理部４１で保持する各センサの計測データを応答する方法が一般的であるが、センサユニット４のセンサ入力処理部４１で各センサの計測データの変化を検知した場合に、センサユニット４から送受信処理部４２を介して、中央監視装置６に自発的に状態変化通報を行う方法もある。
【００１３】
中央監視装置６は、送受信処理部６１を介してセンサユニット４から各センサ２ａ〜２ｅの計測データを収集し、計測データ収納部６２に収納する。センサ種別判別部６５は計測データ収納部６２に収納されたセンサ種別毎の時系列的な計測データの挙動パターンとセンサ挙動パターン収納部６３に収納されている各センサの時系列的な計測データの挙動パターンを比較することで、センサユニット４から収集した各センサのセンサ種別を判断する。センサ挙動パターン収納部６３に収納されているセンサ種別毎の計測データの挙動パターンは、センサ挙動パターン書換部６４を介して書換可能である。
運転状態監視部６６は、計測データ収納部６２に収納された各センサの計測データとセンサ種別判別部６５で判別したセンサ種別から空調機１の運転状態を監視する。
【００１４】
センサ挙動パターン収納部６３に収納されるセンサ種別毎の計測データの挙動パターンは、空調機１の起動前後など各種センサの計測データが特徴的に挙動する事象におけるものを利用する。例えば、空調機の起動前後で計測データがほとんど変化しないセンサは外気温度を検出するセンサ、空調機の起動直後に計測データが急激に上昇するセンサは温水入口温度を検出するセンサというようにセンサ種別を判別するが、一つの事象の挙動パターンではそれを判別できない場合は複数の事象の挙動パターンを組み合わせることで、より正確により多くのセンサ種別の判別を可能とすることができる。
【００１５】
このセンサ挙動パターン収納部６３に収納されるセンサ種別毎の計測データの挙動パターンは、例えばパソコンであればハードディスク、組み込み製品であればフラッシュメモリなど、センサ挙動パターン書換部６４を介して外部から容易に書き換え可能な記録媒体に保有することで、新たなセンサ種別が追加されたり、空調機の性能等によりセンサ種別は同一であるが計測データの挙動が変更されたりするような場合に、容易にその追加および変更が行えるように構成する。
また、空調機１の運転状態を見るとき、または、センサ種別毎の計測データの挙動パターンをセンサ挙動パターン書換部６４を介して書換えるときは、運転状態監視部６６またはセンサ挙動パターン書換部６４にパソコン等を接続して行えるように構成する。
【００１６】
以上のように、各センサ２ａ〜２ｅのセンサ種別を判別する機能を中央監視装置６に保有させるとともに、センサ種別を判別するためのセンサ種別毎の計測データの挙動パターンを外部から容易に追加および変更できるようにしているので、１システムあたり複数台のセンサユニットが存在するシステム構成でも、センサ種別が追加されたり、空調機１の性能等によりセンサ種別は同一であるが計測データの挙動が変更されたりするような場合においても、容易にその対応を行うことができる。
【００１７】
実施の形態２．
実施の形態１では、空調機の運転状態監視システムが設置される場所に存在する中央監視装置に各センサのセンサ種別を判別するためのセンサ種別毎の計測データの挙動パターンを収納するようにしたものであるが、次に、この中央監視装置をさらに遠隔地に存在するセンタ監視装置で監視する場合も同様にセンサ種別が追加されたり、空調機の性能等によりセンサ種別は同一であるが計測データの挙動が変更されたりするような場合に、容易にその対応を行える実施の形態２を説明する。
【００１８】
図４はこの発明の実施の形態１を示す空調機の運転状態監視システムのシステム構成図、図５は空調機の運転状態監視システムの中央監視装置の内部構成を示すブロック図である。
図４において、本実施の形態の運転状態監視にシステムは、実施の形態１の図１で示した空調機の運転状態監視システムに、この空調機の運転状態監視システムをさらに離れた場所から監視するセンタ監視装置８を追加したものであり、中央監視装置６と電話回線等の通信線７を介して接続されている。他の構成は実施の形態１の図１と同一なので説明を省略する。
【００１９】
図５において、本実施の形態の中央監視装置６は、実施の形態１で示した図３の中央監視装置にセンタ監視装置８との通信を行うセンタ通信部６７が追加されたものであり、センタ通信部６７はセンサ挙動パターン書換部６４に接続されている。他の構成は実施の形態１の図３と同一なので説明を省略する。
【００２０】
次に、この発明の実施の形態２を示す空調機の運転状態監視システムの動作について説明する。なお、実施の形態１と同じ構成については動作が同じなので、構成が異なる部分について説明する。
センタ監視装置８は、離れた場所から中央監視装置６を監視する。そして、センサ種別が追加されたり、空調機１の性能等によりセンサ種別は同一であるが計測データの挙動が変更されたりするような場合に、センタ監視装置８とのセンタ通信部６７を介しての通信により、センサ挙動パターン書換手段６４を介してセンサ挙動パターン収納部６３に収納されている各種センサの計測データの挙動パターンの書き換え可能としている。
【００２１】
以上のように、複数の中央監視装置６を遠隔地で監視するセンタ監視装置８から、中央監視装置６に保有する各センサのセンサ種別を判別するためのセンサ種別毎の計測データの挙動パターンの書き換えを可能とするようにしているので、中央監視装置６をさらに遠隔地に存在するセンタ監視装置８で監視する場合も、同様にセンサ種別が追加されたり、空調機の性能等によりセンサ種別は同一であるが計測データの挙動が変更されたりするような場合に、容易にその対応を行うことができる。
【図面の簡単な説明】
【００２２】
【図１】この発明の実施の形態１を示す空調機の運転状態監視システムのシステム構成図である。
【図２】この発明の実施の形態１を示すセンサユニットの内部構成を示すブロック図である。
【図３】この発明の実施の形態１を示す中央監視装置の内部構成を示すブロック図である。
【図４】この発明の実施の形態２を示す空調機の運転状態監視システムのシステム構成図である。
【図５】この発明の実施の形態２を示す中央監視装置の内部構成を示すブロック図である。
【符号の説明】
【００２３】
１  空調機、２ａ、２ｂ、２ｃ、２ｄ、２ｅ  各センサ、３ａ、３ｂ、３ｃ、３ｄ、３ｅ  センサ入力線、４  センサユニット、４１  センサ入力処理部、４２  送受信処理部、５  通信線、６  中央監視装置、６１  送受信処理部、６２  計測データ収納部、６３  センサ挙動パターン収納部、６４  センサ挙動パターン書換部、６５  センサ種別判別部、６６  運転状態監視部、６７  センタ通信部、７  通信線。
【図１】
2006275475.tif 000003
【図２】
2006275475.tif 000004
【図３】
2006275475.tif 000005
【図４】
2006275475.tif 000006
【図５】
2006275475.tif 000007